(57)【要約】      （修正有）【課題】横方向の寸法が異なっても取付可能な取付自在テントを提供する。【解決手段】取付自在テント１は、幕部材５０と、第１のフレーム部１１と、第２のフレーム部２１と、第１のフレーム部１１に対して第２のフレーム部２１を開閉自在とするヒンジ部３１と、横方向に延びる長孔を有する第１のフラッドバー３６と、横方向に延びる長孔を有する第２のフラッドバー３７と、第１のフラッドバー３６、第２のフラッドバー３７にそれぞれ対応する長孔により横方向に位置調整自在に取り付けられ、第１の片部と第２の片部とが開閉自在となるように構成され、第１の片部に対して第２の片部が開いてＬ字状をなす複数の取付具３８と、第１のフレーム部１１に固定される一端部と第２のフレーム部２１に固定される他端部を有しており第１のフレーム部１１に対する第２のフレーム部２１の開き角度を固定するアーム部４０と、を備える。【選択図】図１
0003234427.tif 000002
【実用新案登録請求の範囲】
【請求項１】
幕部材と、
縦方向と横方向に延びる部材で構成された第１のフレーム部と、
縦方向と横方向に延びる部材で構成され、前記幕部材が取り付けられた第２のフレーム部と、
前記第１のフレーム部の横方向に延びる一つの部材と前記第２のフレーム部の横方向に延びる一つの部材とに固定され、前記第１のフレーム部に対して前記第２のフレーム部を開閉自在とするヒンジ部と、
前記第１のフレーム部に取り付けられ、横方向に延びる長孔を有する第１のフラッドバーと、
前記第１のフラッドバーと縦方向に離隔して前記第１のフレーム部に取り付けられ、前記横方向に延びる長孔を有する第２のフラッドバーと、
前記第１のフラッドバー、前記第２のブラッドバーにそれぞれ対応する前記長孔により横方向に位置調整自在に取り付けられ、第１の片部と第２の片部とが開閉自在となるように構成され、前記第１の片部に対して前記第２の片部が開いてＬ字状をなす複数の取付具と、
前記第１のフレーム部に固定される一端部と前記第２のフレーム部に固定される他端部を有しており前記第１のフレーム部に対する前記第２のフレーム部の開き角度を固定するアーム部と、
を備える、取付自在テント。
【請求項２】
前記第１のフレーム部が、取付対象である筐体の下端に達しない長さを有する、請求項１に記載の取付自在テント。
【請求項３】
前記取付具における前記第２の片部と係合するアタッチメントを備え、前記アタッチメントが取付対象である筐体の側面に固定される、請求項１又は２記載の取付自在テント。
【請求項４】
前記第１のフレーム部に対して前記第２のフレーム部を開いて前記アーム部の他端部が前記第２のフレーム部に固定され、
取付対象である筐体の横方向寸法に合わせて前記取付具の前記長孔に対する横方向の位置が調整されて、前記筐体に取り付けられる、請求項１乃至３の何れか１項に記載の取付自在テント。
【考案の詳細な説明】
【技術分野】
【０００１】
本考案は、屋外に設置されている精算機、申込機など特に紙幣を投入することでサービスの対価を支払うマシーンの筐体に取り付けることができる、取付自在テントに関する。
【背景技術】
【０００２】
屋外パーキングに設置されている精算機は、飲料の自動販売機とは異なり、硬貨による清算ではなく、紙幣が用いられるため、精算機を上から覆うように、テントが設けられている（例えば、特許文献１）。
【先行技術文献】
【特許文献】
【０００３】
【特許文献１】実用新案登録第３１６４３０３号公報
【考案の開示】
【考案が解決しようとする課題】
【０００４】
しかしながら、そのような精算機は、縦横奥行の寸法もまちまちであり、精算機ごとに、テントのサイズを設定する必要がある。さらには、特許文献１に開示されているように、精算機は地面に固定され、テントの縦骨格が同一の地面に固定されるため、精算機を設置する際にテントも同時に設置するため、テントのみを後付けすることができなく、またテントを修理することも容易でない。
【０００５】
そこで、本考案では、特に横方向の寸法が異なっても取付可能なテントを提供することを目的とする。
【課題を解決するための手段】
【０００６】
本考案は、前記目的を達成するために、次のような解決手段を講じる。
【０００７】
本考案の請求項１に記載の取付自在テントは、
幕部材と、
縦方向と横方向に延びる部材で構成された第１のフレーム部と、
縦方向と横方向に延びる部材で構成され、前記幕部材が取り付けられた第２のフレーム部と、
前記第１のフレーム部の横方向に延びる一つの部材と前記第２のフレーム部の横方向に延びる一つの部材とに固定され、前記第１のフレーム部に対して前記第２のフレーム部を開閉自在とするヒンジ部と、
前記第１のフレーム部に取り付けられ、横方向に延びる長孔を有する第１のフラッドバーと、
前記第１のフラッドバーと縦方向に離隔して前記第１のフレーム部に取り付けられ、前記横方向に延びる長孔を有する第２のフラッドバーと、
前記第１のフラッドバー、前記第２のブラッドバーにそれぞれ対応する前記長孔により横方向に位置調整自在に取り付けられ、第１の片部と第２の片部とが開閉自在となるように構成され、前記第１の片部に対して前記第２の片部が開いてＬ字状をなす複数の取付具と、
前記第１のフレーム部に固定される一端部と前記第２のフレーム部に固定される他端部を有しており前記第１のフレーム部に対する前記第２のフレーム部の開き角度を固定するアーム部と、
を備える。
【０００８】
本考案の請求項２に記載の取付自在テントは、請求項１に記載の取付自在テントにおいて、前記第１のフレーム部が、取付対象である筐体の下端に達しない長さを有する。
【０００９】
本考案の請求項３に記載の取付自在テントは、請求項１又は２に記載の取付自在テントにおいて、前記取付具における前記第２の片部と係合するアタッチメントを備え、前記アタッチメントが取付対象である筐体の側面に固定される。
【００１０】
本考案の請求項４に記載の取付自在テントは、請求項１乃至３の何れか１項に記載の取付自在テントにおいて、
前記第１のフレーム部に対して前記第２のフレーム部を開いて前記アーム部の他端部が前記第２のフレーム部に固定され、
取付対象である筐体の横方向寸法に合わせて前記取付具の前記長孔に対する横方向の位置が調整されて、前記筐体に取り付けられる。
【考案の効果】
【００１１】
本考案の請求項１に記載の取付自在テントによれば、縦方向と横方向に延びる部材で構成された第１のフレーム部と縦方向と横方向に延びる部材で構成された第２のフレーム部とがそれぞれ横方向に延びる一つの部材においてヒンジ部を介在して接続されて第１のフレーム部に対して第２のフレーム部が閉じられ、かつ第２のフレーム部に幕部材が取り付けられて構成されており、第１のフレーム部と第２のフレーム部とが向き合った状態で第１のフレーム部に第１のフラッドバーと第２のフラッドバーとが第１のフレーム部に取り付けられ、取付具が横方向の位置調整自在に第１のフラッドバー及び第２のフラッドバーにそれぞれ取り付けられるため、コンパクトに搬送することができる。取付自在テントは、このように大半の部品が組付けられており、第１のフレーム部に対して第２のフレーム部を開いてアーム部の両端部で第１のフレーム部及び第２のフレーム部に固定することで、第１のフレーム部に対して第２のフレーム部の開き角度が固定される。取付具が横方向の位置調整自在に第１のフラッドバー及び第２のフラッドバーにそれぞれ取り付けられるため、取付対象である筐体の横方向寸法が異なっても取付可能なテントを提供することができる。
【００１２】
本考案の請求項２に記載の取付自在テントによれば、第１のフレーム部が取付対象である筐体の下端に達しない長さを有するので、取付自在テントを設置面に固定する必要がなく、筐体に後付けすることができる。
【００１３】
本考案の請求項３に記載の取付自在テントによれば、取付対象である筐体の左右側面にアタッチメントをそれぞれ固定することにより、取付具との係合を容易にすることができる。よって、筐体に穴をあける必要はなく、取付作業性もよい。
【００１４】
本考案の請求項４に記載の取付自在テントによれば、第１のフレーム部に対して第２のフレーム部を斜め上方に開いてアーム部の端部をそれぞれ第１のフレーム部及び第２のフレーム部に固定することにより、第１のフレーム部に対する第２のフレーム部の開き角度が固定され、筐体の横方向寸法に合わせて、取付具の第１、第２のフラッドバーの長孔に対する位置を調整することができ、筐体の特に横方向寸法によらず、取りつけることが容易となる。
【図面の簡単な説明】
【００１５】
【図１】図１は、本考案に係る取付自在テントの使用状態を説明するための側面図である。
【図２】図２は、図１に示す取付自在テントの主要部を展開状態で示しており、図２Ａは正面図、図２Ｂは側面図である。
【図３】図３は、図１に示す取付具の斜視図である。
【図４】図４は、第１のフラットバー及び第２のフラッドバーと取付具との関係を示す図であり、図４Ａは第１の態様、図４Ｂは第２の態様を示す図である。
【図５】図５は、図１に示す取付自在テントの取付状態を模式的に示す説明図である。
【考案を実施するための形態】
【００１６】
以下、図面を参照しながら、本考案の実施形態について詳細に説明する。図面には好ましい形態を示しており、本考案の範囲において、構成部材やそれらの形状、寸法比率等を適宜変更してもよい。
【００１７】
本考案の実施形態に係る取付自在テント１の使用状態を説明するための側面図を図１に示し、取付自在テント１の取付状態を模式的に示す説明図を図５に示す。取付自在テント１の主要部となるフレーム１０などを展開状態の正面図を図２Ａに示し、側面図を図２Ｂに示す。取付具３８の斜視図を図３に示し、第１のフラッドバー３６及び第２のフラッドバー３７と取付具３８との関係を示す図として第１の態様を図４Ａに示し、第２の態様を図４Ｂに示す。
【００１８】
本考案の実施形態に係る取付自在テント１は、フレーム１０と、左右で対をなすアーム部４０と、幕部材５０と、アタッチメント６０とから構成されている。
【００１９】
フレーム１０は、図２Ａ及び図２Ｂに示すように、縦方向及び横方向に延びる第１のフレーム部１１と、縦方向と横方向に延びる第２のフレーム部２１と、第１のフレーム部１１と第２のフレーム部２１に固定される一又は複数のヒンジ部３１と、第１のフレーム部１１の横方向に沿って固定される第１のフラッドバー３６と、第１のフレーム部１１の横方向に沿って第１のフラッドバーと縦方向に離隔して固定される第２のフラットバー３７と、図３に示すような複数の取付具３８を含んで構成される。
【００２０】
第１のフレーム部１１は、横方向に延びる横フレーム部１２，１３と、縦方向に延びて横フレーム部１２，１３の両端を接続する縦フレーム部１４，１５，１６，１７とを含んで構成される。横フレーム部１２，１３と縦フレーム部１４，１５，１６，１７とは溶接などの周知の手法により接続される。縦フレーム部と横フレーム部とを接続部材で連結して第１のフレーム部１１を構成してもよい。横フレーム部１２，１３と縦フレーム部１４，１７により略矩形状に縁部が構成される。なお、縦フレーム部１５，１６は必要に応じて設ければよくその本数を調整し、また、横フレーム部１２と横フレーム部１３との間に図示しない横フレーム部を一本又は複数本設けるようにしてもよい。
【００２１】
第２のフレーム部２１は、横方向に延びる横フレーム部２２，２３と、縦方向に延びて横フレーム部２２，２３の両端を接続する縦フレーム部２４，２５，２６，２７とを含んで構成される。横フレーム部２２，２３と縦フレーム部２４，２５，２６，２７とは溶接などの周知の手法により接続される。縦フレーム部と横フレーム部とを接続部材で連結して第２のフレーム部２１を構成してもよい。横フレーム部２２，２３と縦フレーム部２４，２７により略矩形状に縁部が構成される。なお、縦フレーム部２５，２６は必要に応じて設ければよくその本数を調整し、また、横フレーム部２２と横フレーム部２３との間に図示しない横フレーム部を一本又は複数本設けるようにしてもよい。
【００２２】
第１のフレーム部１１及び第２のフレーム部２１には、それぞれ隣接する横フレーム部１３及び横フレーム部２２に一又は複数のヒンジ部３１が横方向に間隔をあけて取り付けられており、第１のフレーム部１１と第２のフレーム部２１とが対向するように閉じられ、設置して使用する際には開くことができるように、フレーム１０が構成されている。
【００２３】
第１のフレーム部１１において、第１のフラッドバー３６が、横フレーム部１２，１３の延びる方向に沿って、縦フレーム部１４，１５，１６，１７に取り付けられて固定されている。第１のフラッドバー３６には、横方向に沿う長孔３６ａが一又は複数設けられている。図示する例では、長孔３６ａは、第１のフラッドバー３６の中間部には設けられておらず、左側と右側とに、第１のフラッドバー３６の約１／３の長さで設けられている。
【００２４】
第１のフレーム部１１において、第２のフラッドバー３７が、横フレーム部１２，１３の延びる方向に沿って、縦フレーム部１４，１５，１６，１７に取り付けられて固定されている。第２のフラッドバー３７には、横方向に沿う長孔３７ａが一又は複数設けられている。図示する例では、長孔３７ａは、第２のフラッドバー３７の中間部には設けられておらず、左側と右側とに、第２のフラッドバー３７の約１／３の長さで設けられている。
【００２５】
第１のフラッドバー３６は、横フレーム部１２に近接して取り付けられている一方、第２のフラッドバー３７は、横フレーム１２と横フレーム１３とから離隔して取り付けられている。
【００２６】
第１のフラッドバー３６及び第２のフラッドバー３７が設けられていない第１のフレーム部１１は、第２のフレーム部１２と同一の形状及び寸法を有する。これにより、部品点数を大幅に減少させることができるほか、第１のフレーム部１１及び第２のフレーム部１２を部品として兼用することができる。
【００２７】
取付具３８は、第１のフラッドバー３６及び第２のフラッドバー３７に、図４Ａや図４Ｂに示すように、長孔３６ａ，３７ｂにボルト及びナットなどの締結部材３９を係合することにより仮止めで取り付けられている。取付具３８は、図３に示すように、第１の片部３８ａと第２の片部３８ｂとがヒンジ３８ｃで連結されて構成されており、第１の片部３８ａには穴３８ｃが形成されており、当該穴３８ｃを第１のフラッドバー３６の長孔３６ａ、第２のフラッドバー３７の長孔３７ａに合わせて、ネジ及びボルトのような締結部材３９で締め付けることにより、第１の片部３８ａを第１のフラッドバー３６、第２のフラッドバー３７に横方向に位置調整して固定することができる。第２の片部３８ｂは長孔３８ｄを有しており、取付対象となる筐体１００の側面に取り付けるアタッチメント６０と係合される。詳細は後述する。
【００２８】
第１のフラッドバー３６及び第２のフラッドバー３７の長孔３６ａ，３７ａは、図２Ａに示すように、縦フレーム部１４と縦フレーム部１５との間、縦フレーム部１６と縦フレーム部１７との間に位置するように設計されているところ、長孔３６ａ，３７ａの長さや本数は適宜設定することができ、例えばフレーム１０の縁を構成する縦フレーム部１４，１７の間に設ける中間の縦フレーム部１５，１６の本数にも依存する。
【００２９】
第２のフレーム部２１には、幕部材５０が接着剤、両面テープ、ビスなどを用いて取り付けられている。幕部材５０は、第２のフレーム部２１の縁の形状に沿っており、ビニールなどの合成繊維などにより構成されており、縁部は厚みを増すなどして補強されている。幕部材５０の縁部に複数の穴が設けられており、幕部材５０の一つの穴に紐などを通して第２のフレーム部２１に巻き付けて幕部材５０の他の穴に当該紐を通すことを続けて、幕部材５０を第２のフレーム部２１に取り付けてもよい。
【００３０】
アーム部４０は、棒状又はパイプ状であり、一端部がボルト及びナットの締結部材４１ａで第１フレーム部１１の縦フレーム部１４、１７に固定され、他端部がボルト及びナットの締結部材４１ｂで第２フレーム部２１の縦フレーム部２４、２７に固定される。締結部材４１ｂの例えばボルトをアーム部４０に取り付けるために穴４１が設けられている。
【００３１】
本考案の実施形態に係る取付自在テント１は、以上のような部材で構成されており、出荷時などの搬送の際には、次のようにコンパクトになっている。即ち、第１のフレーム部１１及び第２のフレーム部２１はヒンジ部３１を介在して縦フレーム部１４，１５，１６，１７と縦フレーム部２４，２５，２６，２７とが対向しており、横フレーム部１２，１３と縦フレーム部２２，２３とが対向している。第２のフレーム部２１には例えばその上面に幕部材５０が取り付けられている。第１のフレーム部１１には第１のフラッドバー３６と第２のフラッドバー３７が取り付けられており、取付具３８が第１のフラッドバー３６及び第２のフラッドバー３７の長孔３６ａ，３７ａに締結部材３９により仮止めされており、取付具３８の第２の片部３８ｂが第１の片部３８ａと対向するようにヒンジの軸部３８ｅ周りに約９０°回転されている。これにより、第１のフレーム部１１と第２のフレーム部１２との間に、第１のフラッドバー３６、第２のフラッドバー３７、取付具３８が収まっており、特に縦方向の部材、横方向の部材で囲まれた開口部に取付具３８が収まっており、第１のフレーム部１１の下面、第２のフレーム部１２の上面から突出していない。第１のフレーム部１１は第２のフレーム部２１の形状及び寸法を同一としているため、第１のフレーム部１１から第２のフレーム部２１が突出しない。
【００３２】
アーム部４０は、長手方向の長さが第１のフレーム部１１、第２のフレーム部２１の縦方向の長さと同一又はそれ以下とすることにより、アーム部４０が第１のフレーム部１１、第２のフレーム部２１の矩形から突出しない。
【００３３】
このように、本考案の実施形態に係る取付自在テント１は、幕部材５０が第２のフレーム部２１に固定されて、第１のフレーム部１１と第２のフレーム部２１とをヒンジ部３１を介して閉じ、第１のフレーム部１１に第１のフラッドバー３６及び第２のフラッドバー３７が固定され、第１のフラッドバー３６及び第２のフラッドバー３７に取付具３８が締結部材３９によって仮止めされている。その他の部品として、アーム部４０が第１のフレーム部１１の縦寸法と同一又はそれ以下であり、後述するアタッチメント６０は第１のフレーム部１１に沿って配置することで、取付自在テント１は、取り付けられる前は、コンパクトに、輸送箱（図示せず）に収容することができる。
【００３４】
次に、本考案の実施形態に係る取付自在テント１の取付方法について説明する。先ず、フレーム１０を輸送箱から取り出して第１のフレーム部１１に対して第２のフレーム部２１をヒンジ部３１の周りに回転させて第２のフレーム部２１を開く。次に、第１のフレーム部１１と第２のフレーム部２１との間にアーム部４０の一端部と他端部とを締結部材４１ａ，４１ｂで取り付ける。そして、取付具３８の第２の片部３８ｂを開き、取付対象の筐体１００の横幅に合うように、取付具３８の第１の片部３８ａの第１のフラッドバー３６及び第２のフラッドバー３７への横方向位置を調整し、締結部材３９，３９を取付具３８の第１の片部３８ａの長孔３８ｃの両端でそれぞれ第１のフラッドバー３６及び第２のフラッドバー３７の長孔３６ａ，３７ａと締め付けて固定する。そして、図５に示すように、取付対象の筐体１００の左右側壁部にアタッチメント６０を取り付け、当該アタッチメント６０の基部から左右外方向に突出したボルト部６１に第２の片部３８ｂの長孔３８ｄを係合させて必要に応じてナット６１ａで固定する（図１参照）。長孔３８ｃは単なる穴、すなわち一定半径の穴でもよい。
【００３５】
第１のフラッドバー３６及び第２のフラッドバー３７への取付具３８は、第１の片部３８ａが内側でも外側でもよい。つまり、左右で対をなす取付具３８は、図４Ａに示すように一方の第１の片部３８ａと他方の第１の片部３８ａとの間に、第２の片部３８ｂ，３８ｂが配置されてもよいし、図４Ｂに示すように一方の第１の片部３８ａと他方の第１の片部３８ａとの間に、第２の片部３８ｂ，３８ｂが配置されずに、外側に配置されてもよい。これにより、取付対象の筐体１００の左右幅に柔軟に対応することができる。
【００３６】
本考案の実施形態に係る取付自在テント１では、第１のフレーム部１１の縦方向の長さが、取付対象の筐体１００の下端に達していないため、取付対象を設置面に固定した後、筐体１００の側面に必要に応じてアタッチメント６０を接着剤や両面テープで取り付けて、アタッチメント６０のボルト部６１に取付具３８の第２の片部３８ｂを係合させることができる。そのため、取付自在テント１は、後付けで取り付けることができるほか、取付自在テント１を自由に設けることができる。
【００３７】
取付対象は、屋外に設置されている精算機、申込機など特に紙幣を投入することでサービスの対価を支払うマシーンであり、その筐体であれば、任意に取り付けられる。
【００３８】
第１のフレーム部１１、第２のフレーム部２１の縦横の寸法は、例えば９１０ｍｍであり、８００ｍｍ以上１１０ｍｍ以下である。この寸法であれば、筐体の設置面に第１のフレーム部１１が到達し得ない。第１のフレーム部１１、第２のフレーム部２１及びアーム部はアルミニウムの角材、棒材で構成され、第１のフラッドバー３６及び第２のフラッドバー３７はアルミニウム板、ステンレス板などで構成される。アタッチメント６０はステンレス板などで構成される。何れも、取付自在テント１は、屋外に配置されることから耐腐食性部材で構成されることが好ましい。
【００３９】
本考案の実施形態は、図示した形態や上述に限らず、本考案の範囲において適宜変更しても構わない。
【符号の説明】
【００４０】
１：取付自在テント
１０：フレーム
１１：第１のフレーム部
１２，１３：横フレーム部
１４，１５，１６，１７：縦フレーム部
２１：第２のフレーム部
２２，２３：横フレーム部
２４，２５，２６，２７：縦フレーム部
３１：ヒンジ部
３６：第１のフラッドバー
３６ａ：長孔
３７：第２のフラットバー
３７ａ：長孔
３８：取付具
３８ａ：第１の片部
３８ｂ：第２の片部
３８ｃ：長穴（穴）
３８ｄ：長穴
３８ｅ：軸部
３９：締結部材
４０：アーム部
５０：幕部材
６０：アタッチメント
６１：ボルト部
１００：取付対象である筐体
【図１】
0003234427.tif 000003
【図２】
0003234427.tif 000004
【図３】
0003234427.tif 000005
【図４】
0003234427.tif 000006
【図５】
0003234427.tif 000007